(57)【要約】【課題】収納容器を奥側に収納する際の当接音の発生が抑制された冷蔵庫を提供する。【解決手段】本発明の冷蔵庫１０は、冷蔵室１５が形成された断熱箱体１１と、冷蔵室１５の内部に配設され、前後方向に沿って移動可能である引出式収納容器３１と、引出式収納容器３１を引出可能に支持する収納容器支持部４５と、引出式収納容器３１と収納容器支持部４５との間に配置された吸音材４７とを具備する。吸音材４７は、引出式収納容器３１が収納される際に当接する位置に配置される。【選択図】図５
2020034176.tif 000002
【特許請求の範囲】
【請求項１】
貯蔵室が形成された断熱箱体と、
前記貯蔵室の内部に配設され、前後方向に沿って移動可能である引出式収納容器と、
前記引出式収納容器を引出可能に支持する収納容器支持部と、
前記収納容器支持部よりも軟らかい軟性材料から成り、前記引出式収納容器が前記貯蔵室に収納される際に、前記引出式収納容器が接触する位置に配置された吸音材と、を具備することを特徴とする冷蔵庫。
【請求項２】
前記吸音材は、前記収納容器支持部の後端側に配置されることを特徴とする請求項１に記載の冷蔵庫。
【請求項３】
前記吸音材は、前記引出式収納容器に接触する第１面部と、前記第１面部に対して直角に連続する第２面部と、前記第２面部の主面から突出する突出部と、を有し、
前記収納容器支持部の後端側には、前記収納容器支持部の長手方向に対して直交する方向に穿たれた固定孔が形成され、
前記吸音材の前記突出部が、前記固定孔に挿入されることで、前記吸音材の位置が固定されることを特徴とする請求項１または請求項２に記載の冷蔵庫。
【請求項４】
前記引出式収納容器の幅方向外側に、板状支持部材が配置され、
前記収納容器支持部および前記吸音材は、前記板状支持部材に設けられることを特徴とする請求項１から請求項３の何れかに記載の冷蔵庫。
【発明の詳細な説明】
【技術分野】
【０００１】
本発明は、冷蔵庫に関し、特に、引出式の収納容器を備える冷蔵庫に関する。
【背景技術】
【０００２】
一般的な冷蔵庫では、収納性を向上させるために、冷蔵室等の貯蔵室の内部に引出式の収納容器を設けることがある。
【０００３】
引出式の収納容器を有する冷蔵庫では、ガラスなどの仕切棚により貯蔵室が区切られる。そして、仕切棚の下方に、引出式の収納容器が配置される。収納容器の両側には、収納容器を前後方向にスライド可能に保持する保持機構が配設される。収納容器の前面開口は、仕切棚に回動可能に取り付けられたドアで覆われる。
【０００４】
このような収納容器は次のように動作する。即ち、使用者が収納容器を前方に向かって引き出すと、これに伴いドアは上辺を支点として回動し、収納容器の前面開口はドアにより覆われなくなる。よって、使用者は、前面開口を介して収納容器に収納された食品等の出し入れを行うことができる。その後、使用者が収納容器を奥側に向かって押圧することで収納容器を貯蔵室に収納すると、これに伴いドアは逆方向に回動し、収納容器の前面開口はドアで覆われる。
【０００５】
上記した構成の収納容器を有する冷蔵庫は、例えば以下の特許文献１に記載されている。
【先行技術文献】
【特許文献】
【０００６】
【特許文献１】特開２０１６−２００３１９号公報
【発明の概要】
【発明が解決しようとする課題】
【０００７】
しかしながら、上記した構成の冷蔵庫では、収納容器を収納させる際に騒音が発生してしまう恐れがあった。具体的には、使用者が収納容器を奥側に押すと、内箱の奥側の部材に収納容器が当接することで、収納時に於ける収納容器の位置が規定される。この際、内箱側の部材と収納容器とが当接することで、大きな当接音が発生してしまう課題があった。また、長期間に渡りこのような当接が繰り返し行われると、内箱の部材または収納容器が破損してしまう恐れもある。
【０００８】
本発明は、上記の事情に鑑みてなされたものであり、本発明の目的とするところは、収納容器を奥側に収納する際に於ける当接音の発生が抑制された冷蔵庫を提供することにある。
【課題を解決するための手段】
【０００９】
本発明の冷蔵庫では、貯蔵室が形成された断熱箱体と、前記貯蔵室の内部に配設され、前後方向に沿って移動可能である引出式収納容器と、前記引出式収納容器を引出可能に支持する収納容器支持部と、前記収納容器支持部よりも軟らかい軟性材料から成り、前記引出式収納容器が前記貯蔵室に収納される際に、前記引出式収納容器が接触する位置に配置された吸音材と、を具備することを特徴とする。
【００１０】
また、本発明の冷蔵庫は、前記吸音材は、前記収納容器支持部の後端側に配置されることを特徴とする。
【００１１】
また、本発明の冷蔵庫は、前記吸音材は、前記引出式収納容器に接触する第１面部と、前記第１面部に対して直角に連続する第２面部と、前記第２面部の主面から突出する突出部と、を有し、前記収納容器支持部の後端側には、前記収納容器支持部の長手方向に対して直交する方向に穿たれた固定孔が形成され、前記吸音材の前記突出部が、前記固定孔に挿入されることで、前記吸音材の位置が固定されることを特徴とする。
【００１２】
また、本発明の冷蔵庫は、前記引出式収納容器の幅方向外側に、板状支持部材が配置され、前記収納容器支持部および前記吸音材は、前記板状支持部材に設けられることを特徴とする。
【発明の効果】
【００１３】
本発明の冷蔵庫は、貯蔵室が形成された断熱箱体と、前記貯蔵室の内部に配設され、前後方向に沿って移動可能である引出式収納容器と、前記引出式収納容器を引出可能に支持する収納容器支持部と、前記収納容器支持部よりも軟らかい軟性材料から成り、前記引出式収納容器が前記貯蔵室に収納される際に、前記引出式収納容器が接触する位置に配置された吸音材と、を具備することを特徴とする。本発明の冷蔵庫によれば、引出式収納容器が奥側に押し込まれると、軟性材料から成る吸音材に引出式収納容器が接触するので、引出式収納容器を収納した際に大きな当接音が発生することを抑制することができる。
【００１４】
また、本発明の冷蔵庫は、前記吸音材は、前記収納容器支持部の後端側に配置されることを特徴とする。本発明の冷蔵庫によれば、吸音材が奥側に配置されることから、使用者が誤って吸音材を取り外してしまうことを防止することができる。
【００１５】
また、本発明の冷蔵庫は、前記吸音材は、前記引出式収納容器に接触する第１面部と、前記第１面部に対して直角に連続する第２面部と、前記第２面部の主面から突出する突出部と、を有し、前記収納容器支持部の後端側には、前記収納容器支持部の長手方向に対して直交する方向に穿たれた固定孔が形成され、前記吸音材の前記突出部が、前記固定孔に挿入されることで、前記吸音材の位置が固定されることを特徴とする。本発明の冷蔵庫によれば、突出部を挿入孔に挿入する簡素な構成で、吸音材を強固に固定することができる。また、固定孔は収納容器支持部の長手方向に対して直交していることから、射出成形金型を用いて、収納容器支持部に挿入孔を容易に形成することが出来る。
【００１６】
また、本発明の冷蔵庫は、前記引出式収納容器の幅方向外側に、板状支持部材が配置され、前記収納容器支持部および前記吸音材は、前記板状支持部材に設けられることを特徴とする。本発明の冷蔵庫によれば、板状支持部材に収納容器支持部および吸音材を設けることで、収納容器支持部および吸音材の形状および位置の精度を高め、引出式収納容器を安定的に支持することができる。
【図面の簡単な説明】
【００１７】
【図１】本発明の実施形態に係る冷蔵庫を示す側方断面図である。
【図２】本発明の実施形態に係る冷蔵庫を示す図であり、（Ａ）および（Ｂ）は冷蔵室の下部を示す斜視図である。
【図３】本発明の実施形態に係る冷蔵庫を示す図であり、（Ａ）は引出式収納容器を示す斜視図であり、（Ｂ）はレール部の後端部を拡大して示す斜視図である。
【図４】本発明の実施形態に係る冷蔵庫を示す図であり、（Ａ）は板状支持部材を示す斜視図であり、（Ｂ）は板状支持部材の取付部を拡大して示す斜視図であり、（Ｃ）は吸音材を示す斜視図である。
【図５】本発明の実施形態に係る冷蔵庫を示す図であり、引出式収納容器と左方側の板状支持部材とを示す斜視図である。
【図６】本発明の実施形態に係る冷蔵庫を示す図であり、（Ａ）は板状支持部材を示す斜視図であり、（Ｂ）は取付部を拡大して示す斜視図であり、（Ｃ）は吸音材を示す斜視図である。
【図７】本発明の実施形態に係る冷蔵庫を示す図であり、引出式収納容器と右方側の板状支持部材とを示す斜視図である。
【発明を実施するための形態】
【００１８】
以下、本発明の実施形態に係る冷蔵庫１０を図面に基づき詳細に説明する。尚、以下の説明では、上下方向は冷蔵庫１０の高さ方向を示し、左右方向は冷蔵庫１０の幅方向を示す、前後方向は冷蔵庫１０の奥行方向を示している。
【００１９】
図１は、冷蔵庫１０の概略構成を示す側方断面図である。図１に示す如く、冷蔵庫１０は、本体としての断熱箱体１１を備え、断熱箱体１１の内部に食品等を貯蔵する貯蔵室を形成している。
【００２０】
断熱箱体１１は、前面に開口部を有する鋼板製の外箱１２と、外箱１２内に間隙を持たせて配設されると共に、前面に開口部を有する合成樹脂製の内箱１３と、外箱１２と内箱１３との間隙に充填発泡された発泡ポリウレタン製の断熱材１４と、から構成されている。
【００２１】
貯蔵室の内部は、保冷温度や用途に応じて複数の収納室に区分されている。上段から、冷蔵室１５、上部冷凍室１６、下部冷凍室１７、野菜室１８が形成されている。
【００２２】
断熱箱体１１の各収納室の前面は開口し、上記開口には、各々、断熱扉１９〜２２が開閉自在に設けられている。具体的には、断熱扉１９が冷蔵室１５の前面開口を塞ぎ、断熱扉２０が上部冷凍室１６の前面開口を塞ぎ、断熱扉２１が下部冷凍室１７の前方開口を塞ぎ、断熱扉２２が野菜室１８の前方開口を塞ぐ。断熱扉１９は、幅方向端部が断熱箱体１１に回動自在に取り付けられている。断熱扉２０、断熱扉２１および断熱扉２２は、前後方向に引出自在に断熱箱体１１に配設されている。断熱扉１９〜２２は、断熱箱体１１と同様の断熱構造を有している。
【００２３】
冷蔵室１５と上部冷凍室１６とは断熱仕切壁３２で区画され、下部冷凍室１７と野菜室１８とは断熱仕切壁３３で区画されている。断熱仕切壁３２および断熱仕切壁３３は、断熱箱体１１と同様の断熱構造を有している。
【００２４】
上部冷凍室１６および下部冷凍室１７の後方には、冷却室２３が形成されており、冷却室２３の内部には冷却器２４が配置されている。冷却器２４と、圧縮機２９と、図示しない放熱器と、図示しない減圧手段とは、冷媒配管によって順次接続され、冷却装置としての蒸気圧縮式の冷凍サイクル回路を構成している。
【００２５】
また、冷蔵室１５の後方には、送風路２６が形成されており、送風路２６の一部を開口することで、吹出口２７が形成されている。
【００２６】
冷却器２４の上部には送風機２５が配設されており、冷却器２４により冷却された冷却室２３の内部の冷気は、送風機２５により各貯蔵室１５〜１８に送風される。具体的には、送風機２５により送風された冷気の一部は、送風路２６および吹出口２７を経由して、冷蔵室１５に供給される。また、送風機２５で送風された冷気の一部は、上部冷凍室１６および下部冷凍室１７にも供給される。更に、冷蔵室１５で送風された冷気の一部は、野菜室１８にも供給される。
【００２７】
このようにすることで、冷蔵室１５、上部冷凍室１６、下部冷凍室１７および野菜室１８は、所定の温度帯域に冷却される。また、冷蔵室１５、上部冷凍室１６、下部冷凍室１７および野菜室１８に送風された冷気は、その後、図示しない帰還風路を経由して冷却室２３に帰還する。
【００２８】
冷却室２３の内部に於いて、冷却器２４の下方には、冷却器２４に付着した霜を除去するための除霜ヒータ２８が配設されている。
【００２９】
冷蔵室１５の内部には、内部空間を上下方向に区切る仕切棚３０が複数配設されている。最下部に配置された仕切棚３０の下方には、引出式収納容器３１が配置されている。引出式収納容器３１は、前後方向に引出自在に配設されている。引出式収納容器３１の前部上方には、回動扉３４が配置されている。回動扉３４は、仕切棚３０に対して回動自在に組み付けられており、引出式収納容器３１が奥側に押し込まれている収納状態では、回動扉３４は閉じている。一方、引出式収納容器３１が前方に引き出されている引出状態では、回動扉３４は開いている。
【００３０】
図２を参照して、冷蔵室１５の下部の構成を説明する。ここでは、上記した引出式収納容器３１および回動扉３４を図示していない。図２（Ａ）は冷蔵室１５の下部を右側上方から見た斜視図であり、図２（Ｂ）は冷蔵室１５の下部を左側上方から見た斜視図である。
【００３１】
図２（Ａ）を参照して、仕切棚３０の左方下側には給水容器３５と板状支持部材４３が配設されている。給水容器３５は、図示しない製氷器に供給される水を貯留するための容器である。板状支持部材４３は給水容器３５の右方直近に配設された板状の部材である。板状支持部材４３は、射出成形された合成樹脂から成る。板状支持部材４３の右方側の面には、収納容器支持部４５が形成されている。収納容器支持部４５は、上記した引出式収納容器３１を左方側から前後方向に摺動可能に支持する部位である。また、板状支持部材４３は、仕切棚３０の下方の空間を、給水容器３５が配置される部分と、上記した引出式収納容器３１が配置される部分とに区切る区画部材でもある。
【００３２】
図２（Ｂ）を参照して、冷蔵室１５の右方側の内壁には板状支持部材４４が取り付けられている。板状支持部材４４には収納容器支持部４６が形成されている。板状支持部材４４は、射出成形された合成樹脂から成る。板状支持部材４４は、上記した引出式収納容器３１を、前後方向に沿って摺動可能に支持する部材である。
【００３３】
図３を参照して、引出式収納容器３１の構成を詳述する。図３（Ａ）は引出式収納容器３１を右側上方から見た斜視図であり、図３（Ｂ）はレール部４２を部分的に拡大して示す拡大斜視図である。
【００３４】
図３（Ａ）を参照して、引出式収納容器３１は、射出成形された合成樹脂からなる容器である。また、引出式収納容器３１の前方側壁の上部を開口することで前方開口部３７が形成されている。また、引出式収納容器３１の後方側面には、引出式収納容器３１の内部に冷気を導入するための後方開口部３８が形成されている。
【００３５】
引出式収納容器３１の右方側面の下部を、部分的に右方に向かって突出させることでレール部４２が形成されている。レール部４２は、引出式収納容器３１の前端から後端まで、前後方向に沿って略直線状に形成されている。同様に、引出式収納容器３１の左方側側面にも、レール部４１が形成されている。
【００３６】
図３（Ｂ）を参照して、レール部４２の後端には、摺動部材６９が嵌め込まれている。摺動部材６９は、耐摩耗性が高いＰＯＭ（Ｐｏｌｙａｃｅｔａｌ）から成る。摺動部材６９の上下方向に於ける長さは、レール部４２の上下方向に於ける長さよりも長い。よって、引出式収納容器３１が前後方向にスライド移動する際には、摺動部材６９が、図２（Ｂ）に示した収納容器支持部４６と摺動する。
【００３７】
図４を参照して、板状支持部材４３の構成を説明する。図４（Ａ）は板状支持部材４３を右側前方から見た斜視図であり、図４（Ｂ）は取付部５２を拡大して示す拡大斜視図であり、図４（Ｃ）は吸音材４７を示す斜視図である。
【００３８】
図４（Ａ）を参照して、板状支持部材４３は、射出成形されたＰＰ（Ｐｏｌｙｐｒｏｐｙｌｅｎｅ）などの合成樹脂から成り、その右方側面に収納容器支持部４５が形成されている。収納容器支持部４５は、板状支持部材４３を部分的に右方に向かって突出させた部位であり、板状支持部材４３の前端付近から後端付近に至るまで略直線状に形成されている。
【００３９】
収納容器支持部４５は、前後方向に略直線状に形成される上側支持部分４５ａと、上側支持部４５ａの下方に、前後方向に略直線状に形成される下側支持部分４５ｂとを有する。上側支持部分４５ａと下側支持部分４５ｂとは互いに平行となるように形成されている。上側支持部分４５ａと下側支持部分４５ｂとの間に、図３（Ａ）に示した引出式収納容器３１のレール部４１が配設される。下側支持部分４５ｂの前端には、上方に開口する取付部７４が形成されており、取付部７４に摺動部材７３が嵌め込まれる。摺動部材７３は、摩耗に強いＰＯＭから成り、図３（Ａ）に示したレール部４１の下面が、摺動部材７３の上面と摺動する。また、収納容器支持部４５の後端には取付部５２が形成されており、取付部５２に吸音材４７が取り付けられる。
【００４０】
図４（Ｂ）を参照して、取付部５２は、前後方向に於いて、収納容器支持部４５の後端側に形成される。また、取付部５２は、上下方向に於いて、上側支持部分４５ａと下側支持部分４５ｂとの間に形成されている。取付部５２は、第１取付面５３と第２取付面５４とを有する。第１取付面５３は前方を向く面であり、第２取付面５４は右方を向く面である。第２取付面５４には、第２取付面５４の中央部付近を左方に向かって貫通する固定孔５５が形成されている。右方から見た固定孔５５の形状は略円形である。
【００４１】
取付部５２は、図３に示した引出式収納容器３１を収納状態とする際に、吸音材４７を介して、引出式収納容器３１のレール部４１の後端が当接する部位である。換言すると、取付部５２は、収納状態に於ける引出式収納容器３１の位置を規定するストッパである。
【００４２】
図４（Ｃ）を参照して、吸音材４７は、第１面部４８と、第１面部４８から直角に連続する第２面部４９と、第２面部４９から左方に向かって突出する突出部５０と、を有する。第１面部４８および第２面部４９は平坦に形成されている。また、突出部５０の中間部分には、係合部５１が形成されている。係合部５１は、右方に向かって拡径する略円錐形状を呈している。係合部５１の右端の直径は、図４（Ｂ）に示した固定孔５５の内径よりも大きい。吸音材４７は、板状支持部材４３よりも軟性に優れる材料からなり、例えば、射出成形されたゴムから成る。
【００４３】
図４（Ｂ）および図４（Ｃ）を参照して、吸音材４７の第１面部４８は、取付部５２の第１取付面５３に当接する。吸音材４７の第２面部４９は、取付部５２の第２取付面５４に当接する。吸音材４７の突出部５０は、取付部５２の固定孔５５に挿入される。突出部５０の係合部５１が、固定孔５５に係合することで、吸音材４７は、強固に取付部５２に取り付けられる。
【００４４】
図５を参照して、引出式収納容器３１と板状支持部材４３との関連構成を説明する。図５は、引出式収納容器３１の左方部分と板状支持部材４３とを、右側上方から見た斜視図である。この図では、引出式収納容器３１と板状支持部材４３とを左右方向に離して示している。
【００４５】
引出式収納容器３１のレール部４１は、板状支持部材４３の上側支持部分４５ａと下側支持部分４５ｂとの間に配置される。また、レール部４１の後端に取り付けられた摺動部材７０が、収納容器支持部４５に接触する。引出式収納容器３１を前後方向にスライドさせると、摺動部材７０が収納容器支持部４５と摺動する。
【００４６】
引出式収納容器３１を収納するべく後方に押し込むと、レール部４１の後端が吸音材４７に当接する。具体的には、レール部４１の後端は、図４（Ｃ）に示した吸音材４７の第１面部４８に当接する。上記のように、吸音材４７の第１面部４８はゴムなどの軟性材料から成る。よって、レール部４１の後端が吸音材４７の第１面部４８に当接しても、第１面部４８が変形することで、大きな当接音は発生しない。
【００４７】
図６を参照して、板状支持部材４４の構成を説明する。図６（Ａ）は板状支持部材４４を左側前方から見た斜視図であり、図６（Ｂ）は取付部６４を拡大して示す拡大斜視図であり、図６（Ｃ）は吸音材６０を示す斜視図である。
【００４８】
図６（Ａ）を参照して、板状支持部材４４は、射出成形された合成樹脂から成り、その左方側面に収納容器支持部４６が形成されている。収納容器支持部４６は、板状支持部材４４を部分的に左方に向かって突出させた部位であり、板状支持部材４４の前端付近から後端付近に至るまで略直線状に形成されている。
【００４９】
収納容器支持部４６は、前後方向に略直線状に形成される上側支持部分４６ａと、上側支持部４４ａの下方に、前後方向に略直線状に形成される下側支持部分４６ｂとを有する。上側支持部分４６ａと下側支持部分４６ｂとの間に、図３（Ａ）に示したレール部４２が配設される。下側支持部分４６ｂの前端には上方に開口する取付部７２が形成されており、取付部７２に摺動部材７１が嵌め込まれる。収納容器支持部４６の後端には取付部６４が形成されており、取付部６４に吸音材６０が取り付けられる。
【００５０】
図６（Ｂ）を参照して、取付部６４は、前後方向に於いて、収納容器支持部４６の後端側に形成される。また、取付部６４は、上下方向に於いて、上側支持部分４６ａと下側支持部分４６ｂとの間に形成されている。取付部５２は、第１取付面６５と第２取付面６６とを有する。第１取付面６５は前方を向く面であり、第２取付面６６は左方を向く面である。また、第２取付面６６の中央部付近を右方に向かって貫通する固定孔６７が形成されている。右方から見た固定孔６７の形状は略円形である。取付部６４は、図３に示した引出式収納容器３１を収納状態とする際に、吸音材６０を介して、引出式収納容器３１のレール部４１の後端が当接する部位である。換言すると、取付部６４は、収納状態に於ける引出式収納容器３１の位置を規定するストッパである。
【００５１】
図６（Ｃ）を参照して、吸音材６０は、図４（Ｃ）に示した吸音材４７と同一の形状である。具体的には、吸音材６０は、第１面部６１と、第１面部６１から直角に連続する第２面部６２と、第２面部６２から左方に向かって突出する突出部６３と、を有する。突出部６３の中間部分には、係合部６８が形成されている。
【００５２】
図６（Ｂ）および図６（Ｃ）を参照して、吸音材６０の第１面部６１は、取付部６４の第１取付面６５に当接する。吸音材６０の第２面部６２は、取付部６４の第２取付面６６に当接する。吸音材６０の突出部６３は、取付部６４の固定孔６７に挿入される。突出部６３の係合部６８が、第２取付面６６に係合することで、吸音材６０は、強固に取付部６４に取り付けられる。
【００５３】
図７を参照して、引出式収納容器３１と板状支持部材４４との関連構成を説明する。図７は、引出式収納容器３１の右方部分と板状支持部材４４とを左側上方から見た斜視図である。この図では、引出式収納容器３１と板状支持部材４４とを左右方向に離して示している。
【００５４】
引出式収納容器３１のレール部４２は、板状支持部材４４の上側支持部分４６ａと下側支持部分４６ｂとの間に配置される。また、レール部４２の後端に取り付けられた摺動部材６９が、収納容器支持部４６に接触する。引出式収納容器３１を前後方向にスライドさせると、摺動部材６９が収納容器支持部４６と摺動する。
【００５５】
引出式収納容器３１を後方に押し込むと、レール部４２の後端が吸音材６０に当接する。具体的には、レール部４２の後端は、図６（Ｃ）に示した吸音材６０の第１面部６１に当接する。第１面部６１はゴムなどの軟性材料から成る。よって、レール部４２の後端が吸音材６０の第１面部６１に当接しても、第１面部６１が変形することで、大きな当接音は発生しない。
【００５６】
本実施形態に係る冷蔵庫１０によれば、図４および図６に示したように、取付部５２および取付部６４に、ゴムから成る吸音材４７および吸音材６０を配設している。よって、使用者が図１に示す引出式収納容器３１を冷蔵室１５に収納する際に、引出式収納容器３１を奥側に強く押し込むことがあっても、大きな騒音が発生することはない。具体的には、引出式収納容器３１が奥側に押し込まれると、図５に示す引出式収納容器３１のレール部４１の後端は、ゴムから成る吸音材４７に当接する。また、図７に示す引出式収納容器３１のレール部４２の後端は、ゴムから成る吸音材６０に当接する。よって、ゴムである吸音材４７および吸音材６０が、引出式収納容器３１のレール部４１およびレール部４２にソフトに当接することで、大きな当接音が発生することが抑制されている。
【００５７】
また、吸音材４７および吸音材６０は冷蔵室１５の奥側に配置されている。よって、図１に示した断熱扉１９を開き、引出式収納容器３１を手前に引き出した場合であっても、吸音材４７および吸音材６０が使用者の目に留まることがない。このことから、断熱扉１９を開いた際の外観性を向上することができる。更には、使用者が掃除等を行う際に、使用者が誤って吸音材４７および吸音材６０を外してしまうことを抑制することができる。
【００５８】
更に、図４（Ｂ）および図４（Ｃ）を参照して、吸音材４７の突出部５０を、取付部５２の固定孔５５に挿入することで、吸音材４７の位置を固定している。ここで、突出部５０が挿入される方向は、上記した引出式収納容器３１がスライドする方向に直交している。よって、引出式収納容器３１のスライド動作に伴って、吸音材４７が固定孔５５から外れてしまうことを防止することができる。係る事項は、図６（Ｃ）に示した吸音材６０に関しても同様である。
【００５９】
更にまた、図４（Ｂ）を参照して、固定孔５５は左右方向に向かって穿たれており、この方向は収納容器支持部４５の長手方向に対して直交している。固定孔５５をこのような方向に穿つことで、射出金型を用いて収納容器支持部４６を射出成形する工程に於いて、固定孔５５を同時に形成することができる。係る事項は図６（Ｂ）に示した固定孔６７に関しても同様である。
【００６０】
更に、図４（Ａ）を参照して、板状支持部材４３には、引出式収納容器３１のスライド動作をガイドする収納容器支持部４５と、吸音材４７を設置する取付部５２とが形成されている。また、板状支持部材４３は、射出成形により一体的に形成される。従って、収納容器支持部４５と取付部５２とを板状支持部材４３に形成することで、両者の相対的な位置精度を高め、引出式収納容器３１のスライド動作をスムーズにし、更に、収納状態に於ける引出式収納容器３１の位置を正確に規定することができる。
【００６１】
以上、本発明の実施形態を示したが、本発明は、上記実施形態に限定されるものではない。
【符号の説明】
【００６２】
１０   冷蔵庫
１１   断熱箱体
１２   外箱
１３   内箱
１４   断熱材
１５   冷蔵室
１６   上部冷凍室
１７   下部冷凍室
１８   野菜室
１９   断熱扉
２０   断熱扉
２１   断熱扉
２２   断熱扉
２３   冷却室
２４   冷却器
２５   送風機
２６   送風路
２７   吹出口
２８   除霜ヒータ
２９   圧縮機
３０   仕切棚
３１   引出式収納容器
３２   断熱仕切壁
３３   断熱仕切壁
３４   回動扉
３５   給水容器
３７   前方開口部
３８   後方開口部
４１   レール部
４２   レール部
４３   板状支持部材
４４   板状支持部材
４５   収納容器支持部
４５ａ 上側支持部分
４５ｂ 下側支持部分
４６   収納容器支持部
４６ａ 上側支持部分
４６ｂ 下側支持部分
４７   吸音材
４８   第１面部
４９   第２面部
５０   突出部
５１   係合部
５２   取付部
５３   第１取付面
５４   第２取付面
５５   固定孔
６０   吸音材
６１   第１面部
６２   第２面部
６３   突出部
６４   取付部
６５   第１取付面
６６   第２取付面
６７   固定孔
６８   係合部
６９   摺動部材
７０   摺動部材
７１   摺動部材
７２   取付部
７３   摺動部材
７４   取付部
【図１】
2020034176.tif 000003
【図２】
2020034176.tif 000004
【図３】
2020034176.tif 000005
【図４】
2020034176.tif 000006
【図５】
2020034176.tif 000007
【図６】
2020034176.tif 000008
【図７】
2020034176.tif 000009